(57)【特許請求の範囲】
【請求項１】
モータアームと、上記モータアームに固定されたボールピンと、リンクコンロッドと、上記リンクコンロッドの板状の端部に固定され、上記ボールピンに球面対偶を介して結合されたボールリテーナと、上記ボールリテーナとボールピンとを覆うシール部材を備えたワイパリンク装置において、上記リンクコンロッドおよび上記ボールリテーナを覆うジョイントカバー本体をもち、上記シール部材と該リンクコンロッドとの間を包囲するジョイントカバーを備え、上記シール部材には、筒状のシール部材本体の一端部にボールリテーナに嵌着されるボールリテーナ側嵌着部が形成されているとともに、該シール部材本体の他端部にボールピンに嵌着されるボールピン側嵌着部が形成されており、上記ジョイントカバー本体には、上記リンクコンロッドからモータアーム側に向け無端状に突出形成された筒状突起が一体成形され、この筒状突起には、上記シール部材のシール部材本体から離れて、外周側に配置された筒状突起本体を備えていることを特徴とするワイパ用リンク装置。
【請求項２】
上記ジョイントカバー本体には、上記リンクコンロッドの板状の端部に嵌着される第１のリンクコンロッド嵌着部と、該リンクコンロッドの中央部のパイプ状本体に嵌着される第２のリンクコンロッド嵌着部と、ボールリテーナに嵌着されるボールリテーナ嵌着部とが一体的に備えられていることを特徴とする請求項１に記載のワイパ用リンク装置。
【請求項３】
上記筒状突起本体の先端部には、該筒状突起本体から外周側に向け突出形成されたかえし部が備えられていることを特徴とする請求項１または２に記載のワイパ用リンク装置。
【発明の詳細な説明】
【０００１】
【発明の属する技術分野】
この発明は、モータアームの回転をリンクコンロッドによりピボットシャフトの往復回動に変換するワイパ用リンク装置に関する。
【０００２】
【従来の技術】
モータアームの回転をリンクコンロッドによりピボットシャフトの往復回動に変換するワイパリンク装置としては、モータアームの端部にボールピンが固定され、リンクコンロッドの端部に固定されたボールリテーナにボールピンが球面対偶を介して嵌合されているものが知られている。
【０００３】
【発明が解決しようとする課題】
ところが、上記したワイパ用リンク装置では、ボールリテーナとモータアームとの間にボールピンの外側を覆うシール部材が取付けられていたが、モータアームに対してリンクコンロッドが傾斜するのに対応して、そのシール部材がボールリテーナに対して緩く嵌付けられていたから、シール部材とボールリテーナとに隙間が生じやすい。そのため、隙間を介してボールリテーナとボールピンとの球面対偶部に雨水が浸入したり砂などが侵入するおそれがある。その場合、ボールリテーナとボールピンとの球面対偶部に雨水が浸入すると、雨水によって、ボールリテーナのボールピン嵌合部に塗布された潤滑油脂が流れ落ちてしまい、モータアーム側の回転を変換する際に、潤滑油脂のない状態で互いが摺れ合うこととなって、ボールリテーナ、ボールピンが異音を発生するおそれがある。また、ボールリテーナとボールピンとの球面対偶部に砂などが侵入すると、砂などの異物を挟んだままでボールリテーナとボールピンとが摺れ合うことになるため、ボールリテーナ、ボールピンが異音を発生するばかりか、樹脂で成形されたボールリテーナが破損することがあり、ボールリテーナが破損することによってボールリテーナからボールピンが脱落した場合、動力を伝達することが出来なくなりうるという問題点もあった。
【０００４】
【発明の目的】
この発明に係わるワイパ用リンク装置は、異音の発生や動力の伝達不能を起こすことのない高品位なワイパ用リンク装置を提供することを目的としている。
【０００５】
【発明の構成】
【０００６】
【課題を解決するための手段】
この発明の請求項１に係わるワイパ用リンク装置では、モータアームと、モータアームに固定されたボールピンと、リンクコンロッドと、リンクコンロッドの板状の端部に固定され、ボールピンに球面対偶を介して結合されたボールリテーナと、ボールリテーナとボールピンとを覆うシール部材を備えたワイパリンク装置において、リンクコンロッドおよびボールリテーナを覆うジョイントカバー本体をもち、シール部材とリンクコンロッドとの間を包囲するジョイントカバーを備え、シール部材には、筒状のシール部材本体の一端部にボールリテーナに嵌着されるボールリテーナ側嵌着部が形成されているとともに、該シール部材本体の他端部にボールピンに嵌着されるボールピン側嵌着部が形成されており、ジョイントカバー本体には、リンクコンロッドからモータアーム側に向け無端状に突出形成された筒状突起が一体成形され、この筒状突起には、シール部材のシール部材本体から離れて、外周側に配置された筒状突起本体を備えている構成としたことを特徴としている。
【０００７】
この発明の請求項２に係わるワイパ用リンク装置では、ジョイントカバー本体には、リンクコンロッドの板状の端部に嵌着される第１のリンクコンロッド嵌着部と、該リンクコンロッドの中央部のパイプ状本体に嵌着される第２のリンクコンロッド嵌着部と、ボールリテーナに嵌着されるボールリテーナ嵌着部とが一体的に備えられている構成としたことを特徴としている。
【０００８】
この発明の請求項３に係わるワイパ用リンク装置では、筒状突起本体の先端部には、筒状突起本体から外周側に向け突出形成されたかえし部が備えられている構成としたことを特徴としている。
【０００９】
【発明の作用】
この発明の請求項１に係わるワイパ用リンク装置において、リンクコンロッドおよびボールリテーナを覆い且つリンクコンロッドからモータアーム側に向け無端状に突出形成された筒状突起を備えたジョイントカバー本体をもつジョイントカバーは、該筒状突起の筒状突起本体がシール部材のシール部材本体から離れて配置される。それ故、シール部材がジョイントカバーによって包囲されるから、シール部材のボールピン側に隙間があったとしても、雨水や砂などが入り込むことがないとともに、リンクコンロッドがモータアームに対して大きく傾斜することによってシール部材が撓んだとしても、ジョイントカバーは、筒状突起本体が撓んだシール部材に接触することなくシール部材を確実に包囲するものとなる。
【００１０】
この発明の請求項２に係わるワイパ用リンク装置において、ジョイントカバーは、第１のリンクコンロッド嵌着部がリンクコンロッドの板状の端部に嵌着され、第２のリンクコンロッド嵌着部がリンクコンロッドのパイプ部に嵌着され、ボールリテーナ嵌着部がボールリテーナに嵌着される。それ故、請求項１の作用に加え、リンクコンロッドおよびボールリテーナから位置ずれすることがないジョイントカバーによってシール部材の外側が確実に包囲される。
【００１１】
この発明の請求項３に係わるワイパ用リンク装置において、ジョイントカバーは、筒状突起本体の先端部で筒状突起本体から外周側に向けかえし部が突出形成されていることによって、モータアームに接近した部分までシール部材を包囲する。それ故、請求項１、２の作用に加え、ジョイントカバーの外側から筒状突起本体に雨水や砂などがかかったとしても、かえし部によって雨水や砂などが弾かれてシール部材にまで達することなくシール部材を確実に包囲するものとなる。
【００１２】
【実施例】
図１ないし図４には、この発明に係わるワイパ用リンク装置の一実施例が示されている。
【００１３】
図示するワイパ用リンク装置１は、主として、モータアーム２、第１のボールピン３、シール部材４、リンクコンロッド５、第１のボールリテーナ６、第２のボールリテーナ７、第１のジョイントカバー８、第２のジョイントカバー９から構成されている。
【００１４】
モータアーム２には、板状のモータアーム本体２ａの先端部にボールピン取付孔２ｂが形成されており、このボールピン取付孔２ｂに第１のボールピン３に備えた軸部３ａが加締固定されている。モータアーム２の基端部には、図示しないワイパモータに備えた出力軸に結合されている。モータアーム２では、ワイパモータに電流が供給されて出力軸が回転することによって第１のボールピン３が回転運動する。
【００１５】
第１のボールピン３には、球形部３ｂの下方側に円柱形の軸部３ａが形成されている。軸部３ａは前述したように、モータアーム２のボールピン取付孔２ｂに加締固定されており、この軸部３ａにシール部材４が嵌付けられている。
【００１６】
シール部材４は、弾性のあるゴムを素材として成形されており、シール部材４には、略円筒形状にされたシール部材本体４ａのモータアーム２側に配置された基端部にボールピン側嵌着部４ｂが形成されているとともに、シール部材本体４ａのモータアーム２とは反対側に配置された先端部にボールリテーナ側嵌着部４ｃが形成されている。
【００１７】
シール部材４は、ボールピン側嵌着部４ｂが第１のボールピン３の軸部３ａの外径よりも小さい内径寸法にされているため、大きな嵌着力をもって第１のボールピン３の軸部３ａに対して位置ずれすることなく嵌着されている。
【００１８】
シール部材４は、ボールリテーナ側嵌着部４ｃが後述する第１のボールリテーナ６に備えたシール部材嵌着部６ｅの外径寸法に略等しい内径寸法にされているため、ボールピン側嵌着部４ｂに比べて小さな嵌着力をもって第１のボールリテーナ６のシール部材嵌着部６ｅに嵌着されている。このとき、ボールリテーナ側嵌着部４ｃにおいての第１のボールリテーナ６のシール部材嵌着部６ｅへの嵌着力がボールピン側嵌着部４ｂに比べて小さくされているのは、第１のボールリテーナ６がリンクコンロッド５とともにモータアーム２に対して大きく傾斜した際に、ボールリテーナ側嵌着部４ｃが第１のボールリテーナ６のシール部材嵌着部６ｅ上を摺動できるようにするためである。
【００１９】
第１のボールピン３の球形部３ｂには、第１のボールリテーナ６が嵌合されている。第１のボールリテーナ６には、第１のボールリテーナ本体６ａ、ボールピン嵌合部６ｂ、リンクコンロッド取付部６ｃがそれぞれ形成されている。
【００２０】
第１のボールリテーナ本体６ａは略半球形の外観をもつ。ボールピン嵌合部６ｂは、第１のボールリテーナ本体６ａの中央に配置されており、第１のボールピン３の球形部３ｂの外形寸法よりもわずかに大きい内形寸法の球面状にされているから、このボールピン嵌合部６ｂに第１のボールピン３が球面対偶を介して嵌合されている。ボールピン嵌合部６ｂには、第１のボールピン３との間での摩擦抵抗を減少するための図示しない潤滑用油脂が塗布されている。
【００２１】
第１のボールリテーナ６には、第１のボールピン３の挿入側に、ボールピン嵌合部６ｂの内径寸法よりも小さい内径寸法で円環状にされたボールピン挿入部６ｄが形成されている。ボールピン挿入部６ｄは、ボールピン嵌合部６ｂに第１のボールピン３が挿入される際に、第１のボールピン３によって内径寸法が大きくなるように弾性変形する一方、第１のボールピン３がボールピン嵌合部６ｂに挿入されることによって内径寸法が小さく弾性変形して第１のボールピン３がボールピン嵌合部６ｂから抜け出ないようにする。
【００２２】
また、第１のボールリテーナ６には、ボールピン挿入部６ｄの外側にシール部材嵌着部６ｅが形成されている。シール部材嵌着部６ｅは、図２に示されるように、第１のボールリテーナ本体６ａの下方側に配置されており、このシール部材嵌着部６ｅには、シール部材４のボールリテーナ側嵌着部４ｃが摺動可能に嵌着されている。
【００２３】
そして、第１のボールリテーナ６には、図２に示されるように、シール部材嵌着部６ｅの上方側にリンクコンロッド取付部６ｃが形成されている。リンクコンロッド取付部６ｃは第１のボールリテーナ本体６ａの外側面からボールピン嵌合部６ｂの中心に向けて凹溝状に切除されており、このリンクコンロッド取付部６ｃが後述するリンクコンロッド５に備えた第１のボールリテーナ取付部５ｂに嵌め込まれることによって、第１のボールリテーナ６がリンクコンロッド５に固定されている。第１のボールリテーナ６は、図１に示されるように、リンクコンロッド５に固定されることによって、ボールピン嵌合部６ｂ、ボールピン挿入部６ｄがリンクコンロッド５に備えた第１のボールリテーナ取付部５ｂの下方に配置された第１の面５ｂ１から下方に向けそれぞれ突出して配置される一方、第１のボールリテーナ本体６ａの頂部６ａ１がリンクコンロッド５に備えた第１のボールリテーナ取付部５ｂの上方に配置された第２の面５ｂ２から上方に向け突出して配置される。
【００２４】
リンクコンロッド５には、図３に示されるように、中央部にパイプ状本体５ａが形成され、パイプ状本体５ａの一端部に第１のボールリテーナ取付部５ｂが形成され、パイプ状本体５ａの他端部に第２のボールリテーナ取付部５ｃが形成されている。第１、第２のボールリテーナ取付部５ｂ、５ｃはモータアーム２よりも大きい幅の板状にそれぞれ形成されており、前述したように、第１のボールリテーナ取付部５ｂに第１のボールリテーナ６が固定され、第２のボールリテーナ取付部５ｃに第１のボールリテーナ６と同一形状の第２のボールリテーナ７が固定されている。
【００２５】
リンクコンロッド５の他端部に固定された第２のボールリテーナ７には、図示しないピボットアームの先端部に固定した図示しない第２のボールピンが球面対偶を介して嵌合され、このピボットアームの基端部が図示しないピボットシャフトに結合され、このピボットシャフトに図示しないワイパアームが結合され、このワイパアームに図示しないワイパブレードが装着されるから、ワイパモータによりモータアーム２が回転することによって、第１のボールピン３を介して第１のボールリテーナ６にモータアーム２の回転が伝わり、リンクコンロッド５を介して第２のボールリテーナ７、第２のボールピンがピボットアームを往復回動させることによって、ピボットシャフトを往復回動させ、このピボットシャフトの往復回動によって、ワイパブレードで払拭面を往復で拭う。
【００２６】
一方、第１のジョイントカバー８は、樹脂を素材として成形されており、リンクコンロッド５、第１のボールリテーナ６を覆うようにして袋状をなすジョイントカバー本体８ａをもち、このジョイントカバー本体８ａに、第１のリンクコンロッド嵌着部８ｂ、図３に示される第２のリンクコンロッド嵌着部８ｃ、ボールリテーナ嵌着部８ｄ、筒状突起８ｅが一体成形されている。
【００２７】
第１のリンクコンロッド嵌着部８ｂは、リンクコンロッド５の第１のボールリテーナ取付部５ｂの端部を挟み込むようにして凹状に形成されている。第１のリンクコンロッド嵌着部８ｂは、リンクコンロッド５の第１のボールリテーナ取付部５ｂの端部に固定されている。
【００２８】
第２のリンクコンロッド嵌着部８ｃは、第１のジョイントカバー８の基端部に、ジョイントカバー本体８ａの外径寸法よりも大きい外径寸法でもって、ジョイントカバー本体８ａよりも大きい肉厚の円環形状にして、ジョイントカバー本体８ａの径方向に突出形成されている。第２のリンクコンロッド嵌着部８ｃは、内径寸法がジョイントカバー本体８ａの外径寸法と略等しくなっているため、第１のジョイントカバー８が第１のボールリテーナ６、リンクコンロッド５に被されることによって、リンクコンロッド５のパイプ状本体５ａに嵌着されて、第２のリンクコンロッド嵌着部８ｃとリンクコンロッド５のパイプ本体５ａとのあいだから雨水が浸入しないようにする。第１のリンクコンロッド嵌着部８ｂ、ボールリテーナ嵌着部８ｄ、筒状突起８ｅも、ジョイントカバー本体８ａより肉厚が大きくされている。
【００２９】
ボールリテーナ嵌着部８ｄは、リンクコンロッド５の第２の面５ｂ２側で第１のリンクコンロッド嵌着部８ｂと第２のリンクコンロッド嵌着部８ｃとのあいだに配置されており、第１のボールリテーナ６の頂部６ａ１を包み込むようにして凹状に形成されている。ボールリテーナ嵌着部８ｄは、第１のボールリテーナ６の頂部６ａ１に固定されている。
【００３０】
そして、筒状突起８ｅは、リンクコンロッド５の第１の面５ｂ１側で第１のリンクコンロッド嵌着部８ｂと第２のリンクコンロッド嵌着部８ｃとのあいだでシール部材４の外周側に配置されており、リンクコンロッド５の第１の面５ｂ１側からモータアーム２側に向け略円筒形に突出形成されている。
【００３１】
筒状突起８ｅには、第１のボールリテーナ６に同心にされていて第１のボールリテーナ６のシール部材嵌着部６ｅの外径寸法およびシール部材４のシール部材本体４ａの外径寸法よりも大きい内径寸法をもつ筒状突起本体８ｅ１が備えられている。そして、筒状突起本体８ｅ１のモータアーム２側に突出した先端部には、この筒状突起本体８ｅ１の端部から外周側に向け円環形にして突出形成されたかえし部８ｅ２が備えられている。
【００３２】
筒状突起８ｅは、筒状突起本体８ｅ１がシール部材４のシール部材本体４ａに形成されたボールリテーナ側嵌着部４ｃを囲むようにしてシール部材本体４ａの外側に配置されるから、リンクコンロッド５がモータアーム２に対して傾斜することによって、シール部材４のボールリテーナ側嵌着部４ｃが第１のボールリテーナ６のシール部材嵌着部６ｅ上を摺動する際に、第１のボールリテーナ６のシール部材嵌着部６ｅとシール部材４のボールリテーナ嵌着部４ｃとの間に隙間が生じたとしても、その隙間を囲むことによって、隙間からシール部材４のボールリテーナ側嵌着部４ｃと第１のボールリテーナ６のシール部材嵌着部６ｅとの間に雨水や砂などが入り込まないようにする機能をもつ。
【００３３】
また、筒状突起８ｅは、第１のリンクコンロッド嵌着部８ｂがリンクコンロッド５の第１のボールリテーナ取付部５ｂの端部に固定されるとともに、第２のリンクコンロッド嵌着部８ｃがリンクコンロッド５のパイプ状本体５ａに固定され、さらに、ボールリテーナ嵌着部８ｄが第１のボールリテーナ６の頂部６ａ１に固定されることによって、リンクコンロッド５および第１のボールリテーナ６に位置決められるから、筒状突起本体８ｅ１の中央にシール部材４が配置される。そのため、リンクコンロッド５がモータアーム２に対して傾斜した際に、シール部材本体４ａの外径寸法が大きくなるようにシール部材４が撓んだとしても、シール部材４に接触することなく、シール部材４からの離間寸法を保って、このシール部材４を包囲する。
【００３４】
そして、筒状突起８ｅは、筒状突起本体８ｅ１の先端部で筒状突起本体８ｅ１から外周側に向けて突出形成されたかえし部８ｅ２により、モータアーム２に接近した部分までシール部材４を包囲する。よって、筒状突起８ｅは、この第１のジョイントカバー８の外側から筒状突起本体８ｅ１に雨水や砂などがかかったとしても、かえし部８ｅ２によって雨水や砂などを弾くことによって、雨水や砂などがシール部材４にまで達することがないようにする機能をもつ。
【００３５】
リンクコンロッド５の第２のボールリテーナ取付部５ｃにも、第１のジョイントカバー８と同一構造の第２のジョイントカバー９が第２のボールリテーナ７に装着されているが、ここでは、第２のジョイントカバー９についての詳細な説明は省略する。
【００３６】
このような構造をもつワイパ用リンク装置１は、ワイパモータによりモータアーム２が回転することによって、第１のボールピン３が円運動して第１のボールリテーナ６を介してリンクコンロッド５にモータアーム２の回転が伝わる。
そして、リンクコンロッド５によってモータアーム２の回転がピボットアームの往復回動に変換されるから、ピボットシャフトの往復回動によって、ワイパブレードで払拭面を往復で拭う。
【００３７】
そして、モータアーム２の回転をピボットシャフトの往復回動に変換する間、このワイパ用リンク装置１が取付けられる車両のカウルトップ部分に滴下した雨水や砂などがワイパ用リンク装置１にかかったとても、第１のボールリテーナ６のシール部材嵌着部６ｅとシール部材４のボールリテーナ側嵌着部４ｂとの間に生じている隙間を第１のジョイントカバー８の筒状突起８ｅが包囲して、隙間からシール部材４のボールリテーナ側嵌着部４ｃと第１のボールリテーナ６のシール部材嵌着部６ｅとの間に雨水や砂などが入り込まないようにするから、隙間から雨水が浸入した際に起きる潤滑用油脂の流れ出しや、隙間から砂などが侵入した際に起きる第１のボールリテーナ６の破損が防止されるものとなる。
【００３８】
また、モータアーム２の回転をピボットシャフトの往復回動に変換する間、リンクコンロッド５がモータアーム２に対して傾斜した際に、シール部材本体４ａの外径寸法が大きくなるようにシール部材４が撓んだとしても、第１のジョイントカバー８の筒状突起８ｅに備えた筒状突起本体８ｅ１がシール部材４からの離間寸法を保ってシール部材４に接触せずに、このシール部材４を包囲することによって、雨水や砂などのシール部材４側への入り込みが効率よく防止される。
【００３９】
そして、モータアーム２の回転をピボットシャフトの往復回動に変換する間、第１のジョイントカバー８の外側から筒状突起本体８ｅ１に雨水や砂などがかかったとしても、筒状突起８ｅに形成されたかえし部８ｅ２によって雨水や砂などを弾くことによって、雨水や砂などのシール部材４側への入り込みが効率よく防止される。
【００４０】
【発明の効果】
以上説明したように、この発明の請求項１に係わるワイパ用リンク装置によれば、リンクコンロッドおよびボールリテーナを覆うジョイントカバー本体をもつジョイントカバーは、シール部材とリンクコンロッドとの間を包囲する。それ故、シール部材がジョイントカバーによって包囲されるから、シール部材のボールピン側に隙間があったとしても、雨水や砂などが入り込むことがない。よって、異音の発生や動力の伝達不能を起こすことがない高品位なものとすることができるという優れた効果を奏する。また、このジョイントカバーは、筒状突起の筒状突起本体がシール部材のシール部材本体からから離れて配置される。それ故、リンクコンロッドがモータアームに対して大きく傾斜することによってシール部材が撓んだとしても、ジョイントカバーは、筒状突起本体が撓んだシール部材に接触することなくシール部材を確実に包囲するという優れた効果を奏する。
【００４１】
この発明の請求項２に係わるワイパ用リンク装置によれば、ジョイントカバーは、第１のリンクコンロッド嵌着部がリンクコンロッドの板状の端部に嵌着され、第２のリンクコンロッド嵌着部がリンクコンロッドのパイプ部に嵌着され、ボールリテーナ嵌着部がボールリテーナに嵌着される。それ故、請求項１の効果に加え、リンクコンロッドおよびボールリテーナから位置ずれすることがないジョイントカバーによってシール部材の外側が確実に包囲されるという優れた効果を奏する。
【００４２】
この発明の請求項３に係わるワイパ用リンク装置によれば、ジョイントカバーは、筒状突起本体の先端部で筒状突起本体から外周側に向けかえし部が突出形成されていることによって、モータアームに接近した部分までシール部材を包囲する。それ故、請求項１、２の効果に加え、ジョイントカバーの外側から筒状突起本体に雨水や砂などがかかったとしても、かえし部によって雨水や砂などが弾かれてシール部材にまで達することなくシール部材を確実に包囲するという優れた効果を奏する。
【図面の簡単な説明】
【図１】この発明に係わるワイパ用リンク装置の一実施例の一部破断正面図である。
【図２】図１に示したワイパ用リンク装置の縦断側面図である。
【図３】図１に示したワイパ用リンク装置に用いたリンクコンロッドの単体側面図である。
【図４】図１に示したワイパ用リンク装置においてのボールピンとボールリテーナとの組付け関係を説明する外観斜視図である。
【符号の説明】
１      ワイパ用リンク装置
２      モータアーム
３      （ボールピン）第１のボールピン
４      シール部材
４ｂ    ボールピン側嵌着部
４ｃ    ボールリテーナ側嵌着部
５      リンクコンロッド
６      （ボールリテーナ）第１のボールリテーナ
６ｂ    ボールピン嵌合部
７      （ボールリテーナ）第２のボールリテーナ
８      （ジョイントカバー）第１のジョイントカバー
８ａ    ジョイントカバー本体
８ｂ    第１のリンクコンロッド嵌着部
８ｃ    第２のリンクコンロッド嵌着部
８ｄ    ボールリテーナ嵌着部
８ｅ    筒状突起
８ｅ１  筒状突起本体
８ｅ２  かえし部
９      （ジョイントカバー）第２のジョイントカバー
【図１】
0003729385.tif 000002
【図２】
0003729385.tif 000003
【図３】
0003729385.tif 000004
【図４】
0003729385.tif 000005